(57)【要約】【課題】本発明は、映像が鮮明に投影でき、スクリーンと映像を関連し、映像による癒し効果を増加することができるスクリーンへの映像システムを提供することを課題とする。【解決手段】主としてリラクゼーションを目的として、プロジェクターでスクリーンに映像を投影するスクリーンへの映像システムにおいて、前記スクリーンを水槽等に充填した液体、流動する液体、又は害液体より発生する霧部分をスクリーンとして直接、又は間接的にプロジェクターを用いて自然の風景等を投影するとともに該投影した映像を液体の流れ、又は霧の揺れを利用して幻想的な映像美とするものである。【選択図】図１
2014021482.tif 000002
【特許請求の範囲】
【請求項１】
主としてリラクゼーションを目的として、プロジェクターでスクリーンに映像を投影するスクリーンへの映像システムにおいて、前記スクリーンを水槽等に充填した液体、流動する液体、又は該液体より噴霧する霧部分を選択してスクリーンとし、直接又は間接的にプロジェクターを用いて自然の風景等を投影するとともに、該投影した映像を液体の流れ、又は霧の揺れを利用して幻想的な映像美することを特徴とするスクリーンへの映像システム。
【発明の詳細な説明】
【技術分野】
【０００１】本発明は、スクリーンにプロジェクターを用いて自然の風景、動植物等を投影するシステムで、特に水等の液体、又は該液体を用いた霧部分を利用して構成されたスクリーンへの映像スステムに関する。
【技術の背景】
【０００２】従来、各種文化施設等におけるリラックスゾーンにおいては、専用の大型平面状スクリーンに、撮影された自然の風景等の動画、動植物の動画、各種静止画、又はコンピュータグラフィック画像をプロジェクターで投影した映像を上映することで、空間の癒し効果を演出している。
【０００３】この際、プロジェクターは平面状スクリーンの対向する位置の設置し、直接スクリーンに投影するか、又はスクリーンと変位した位置に設置したプロジェクターよりの投射光を反射鏡で反射してスクリーンに投影する方法が用いられている。
【０００４】また、立体スクリーンにプロジェクターの光束を斜めに配置したハーフミラーを透過し立体スクリーンに正面から入射するようにして投影する。
【０００５】上記立体スクリーンは通常白色で凹凸のみで構成され、映像が投影されることで、精密な立体画像が形成される。
【発明が解決しようとする課題】
【０００６】しかしながら、従来の平面状のスクリーンへの投影では、スクリーンと中央部分と周辺とで映像の歪み、また像の視線が合わない欠点があり映像のリアテイに欠ける。
【０００７】また、平面の映像の場合は、ＴＶ画面と同様に映像のみの癒し効果のみであり、その効果が弱いという欠点があった。特に、自然の風景等、又は動植物の動画においては、その奥行きが表現できない。
【０００８】また、平面状のスクリーンでは、スクリーンと映像との関連がなく単なる画像面でしかない。
【０００９】そこで、本発明は上記課題を解決すべく、映像が鮮明に投影でき、スクリーンと映像を関連し、映像による癒し効果を増加することができるスクリーンへの映像システムを提供することを課題とする。
【課題を解決するための手段】
【００１０】上記課題を解決するために、請求項１は、主としてるリラクレーションを目的として、プロジェクターでスクリーンに映像を投影するスクリーンへの映像システムにおいて、前記スクリーンを水槽等に充填した液体、流体する液体、又は該液体の霧状部分を選択してスクリーンとし、直接又は間接的にプロジェクターを用いて自然の風景等を投影するとともに、該投影された映像を液体の流れ、又は霧の揺れを利用して幻想的な映像美とすることを特徴とする。
【作用・効果】
【００１１】本発明のスクリーンへの映像システムについて、その作用効果を説明する。
【００１２】先ず、本発明のスクリーンへの映像システムは、スクリーンを形成することから始め、該スクリーンに特徴がある。
【００１３】即ち、投影する映像との関係で、一定の大きさを有するバスタブ等の水槽に水等の液体を充填して形成する液体のスクリーン（この場合は液体を着色することでさらに映像美を高めることも可能である）、又は液体を水路に沿って流動することで形成する流体スクリーン、又は液体より発生する又は噴霧することで発生する霧部分で形成するスクリーンを選択して構成されている。
【００１４】上記水路に流す水量はノズルの径、ノズルの本数に応じて厚さの薄い幕状、厚さがある幕、又は太い流れを組み合わせた幕等、投影する映像の種類に応じて自在に設定できる。
【００１５】また、上記スクリーンの水路は平面状、又は円弧状等設置空間の状況に応じて決定する。
【００１６】次に、前記選択したスクリーンと対向する位置にプロジェクターを設置する。又は、反射鏡を用いて、プロジェクターの投影する映像をスクリーンに結実する。
【００１７】その後、前記プロジェクターの投影する自然の風景等の映像を直接又は間接的にスクリーンに対して投影する。
【００１８】この際、スクリーンが液体の流れ、又は霧の揺れ等のために立体型のスクリーンを構成しているために、プロジェクターから投影する映像、例えば魚であれば液体の流れに沿って実際に泳いでいるようであり、霧部分に投影して風景が蜃気楼のように表現でき、従来に比し癒し効果を格段に向上することができる。
【００１９】また、スクリーンへの映像は、複数代のプロジェクターを用いて、背景としての風景とその前にいる動植物を別々に上記スクリーン上に投影し、さらに複雑で鮮明な映像を用いて高い癒し効果を演出することも可能である。
【００２０】このように、本願発明は液体、流動する液体、又は液体を噴霧した霧状のスクリーンにプロジェクターを介して映像を投影することで、より癒し効果を高める、リラクゼーション用スクリーンへの映像システムを提供することができる。
【００２１】また、液体を用いたスクリーンと映像とを関連して表現できるので、映像効果を格段に向上することができる。
【本願発明の実施の形態】
【００２２】本発明のスクリーンへの映像システムの一実施例の形態を図面に沿って説明する。
【００２３】図１は本発明のスクリーンへの映像システムを示す概略説明平面図であり、図２はスクリーンへの映像システムを示すフローチャートであり、図３はスクリーンへの映像の変更を示すフローチャートである。
【００２４】本発明のスクリーン１は、矢印Ａ方向に水が流れるように複数の水の噴出ノズル２が設けら、該噴出ノズル２より水が噴出し、水路３に水を流出することで該流出する水で水路３上に水の流動するスクリーン１を形成する。尚、流出した水は循環して再度噴射ノズル２より噴出される。
【００２５】また、前記スクリーン１は水の流量を前記噴出ノズル２で調整することで水路３上のスクリーン１を厚さの薄い幕、厚さのある幕等流れによる液体面として空間部に応じて自在に設定することができる。
【００２６】また、投影する風景等に応じて、水に色をつけることで、例えば、白色の面として微細な映像を投影することで、透明の時と相違する映像を投影して、異なる癒し効果を得ることができる。
【００２７】また、前記水路３も平面状、立体状、凹状又は凸状で円弧状の曲面に形成するころで、水の流動によるスクリーン１面を種々形成することができる。
【００２８】尚、上記スクリーン１は、水の流出に限定するものでなく、例えば一定の大きさの水槽に水を充填し該水槽内の水面をスクリーン１とすることも可能であり、また、水槽より発生する蒸気よりなる霧、又は噴霧した霧から形成される霧状のスクリーンも可能である。
【００２９】また、液体の種類も水に限定するものでなく、液体の粘性等の相違する液体を使用することで、相違する映像効果を得ることも可能である。
【００３０】次に、前記スクリーン１への映像装置であるプロジェクター４について説明する。
【００３１】プロジェクター４は、通常使用される３個のレンズ（赤、緑、青）が設けられている３菅式投影方式で、主に反射鏡５をスクリーン１との間に取り付けることで、プロジェクター４のレンズの映像光のそれぞれがスクリーン１に映像するようになっている。
【００３２】前記プロジェクター４からの光路は、３個のレンズからそれぞれ投射され、反射鏡５で反射された投影光が結像するように、反射鏡５の投影曲面とスクリーン１の曲面を一致させることによりスクリーン１上にカラーの映像を鮮明に映し出すことができる。尚、プロジェクター４は通常の市販品である。
【００３３】即ち、プロジェクター４の焦点距離の選択、配置位置及び反射鏡５の曲率及び配置位置を調整することにより、レンズからの各映像光をスクリーン１の流水面に結像させている。これにより、スクリーン１上に色合成された映像が映し出される。
【００３４】流出する水のスクリーン１に色合成されて映し出され、隅々まで独特まで幻想的な画面を得ることができる。
【００３５】即ち、スクリーン１の水路３の形状に応じて反射鏡５の形状が決定され、例えはスクリーン１が凹状円弧面であれば、反射鏡５は凸状円弧面で形成されることでスクリーン１の反射映像を結像することができる。
【００３６】次に、映像を変更する場合は、プロジェクター４の映像を変更することで変更するが、本発明においては、映像に応じてスクリーン１を再度選択し、前記スクリーン１と相違する形状を選択し、映像に最適なスクリーン１を選択することができる。
【００３７】以上説明したように本発明のスクリーンへの映像システムによれば、プロジェクター４を用いてスクリーン１上に幻想的で演出効果の優れたカラー映像を浮かび上がらせることができ、優れた癒し効果を得ることができる。
【００３８】また、スクリーン１の形状及びスクリーン１の種類を選択することで、それぞれ相違する癒し効果を得ることができる。
【００３９】特に、霧状のスクリーン１の場合は、立体的なスクリーン１として映像を表示でき揺れるような幻想的な映像で癒し効果を得ることができる。
【００４０】尚、上記液体の充填したスクリーン１として、バスタブを利用し、入浴時に該バスタブのスクリーン１に映像を投影するとともに、入浴している身体にも映像を映し出し、映像に溶け込むような特異な入浴時の癒し効果を演出し、さらに癒し効果を向上することも可能である。
【００４１】また、他の液体の充填したスクリーン１として、例えば金魚鉢を用い、金魚、熱帯魚等の魚を映像することで、観賞用の癒し効果を得ることができる。
【図面の簡単な説明】
【００４２】
【図１】本発明のスクリーンへの映像システムを示す概略説明平面図
【図２】本発明のスクリーンへの映像システムのフローチャート
【図３】スクリーンへの映像の変更を示すフローチャート
【符号の説明】
【００４３】１−スクリーン、４−プロジェクター
【図１】
2014021482.tif 000003
【図２】
2014021482.tif 000004
【図３】
2014021482.tif 000005